(57)【要約】【課題】  浴槽の槽部に入浴した入浴者に対して開放感に溢れた快適な入浴感を感じさせることのできる浴室構造を提供する。【解決手段】  平面視矩形状の浴室１の一方の片側半部に浴槽２を配置すると共に他方の片側半部を洗い場３とし、浴槽２の槽部５の長手方向の一端部を入浴者Ｎの頭部が位置する頭位置部７とすると共に長手方向の他端部を入浴者Ｎの足部が位置する足位置部８とし、平面視で槽部５の頭位置部７から足位置部８に向う入浴者Ｎの入浴方向Ａを、浴槽２を介して洗い場３に対向する浴室壁４ａから足位置部側ほど離れるように洗い場側に向ける。【選択図】図１
2007159671.tif 000002
【特許請求の範囲】
【請求項１】
平面視矩形状の浴室の一方の片側半部に浴槽を配置すると共に他方の片側半部を洗い場とし、浴槽の槽部の長手方向の一端部を入浴者の頭部が位置する頭位置部とすると共に長手方向の他端部を入浴者の足部が位置する足位置部とし、平面視で槽部の頭位置部から足位置部に向う入浴者の入浴方向を、浴槽を介して洗い場に対向する浴室壁から足位置部側ほど離れるように洗い場側に向けたことを特徴とする浴室構造。
【請求項２】
頭位置部に連続する槽部の背凭れ部を、平面視で、浴槽を介して洗い場に対向する浴室壁に対する槽部側の傾斜角が鈍角になるように形成したことを特徴とする請求項１に記載の浴室構造。
【請求項３】
浴槽の上面フランジの洗い場側端縁において槽部の頭位置部に隣接する部分を頭側端部とすると共に槽部の足位置部に隣接する部分を足側端部とし、浴槽を介して洗い場に対向する浴室壁に足側端部を接近させると共に頭側端部を上記浴室壁から離間させるように上面フランジの洗い場側端縁を形成し、槽部の頭位置部と頭側端部との間の上面フランジを入浴者が腰掛ける腰掛け部としたことを特徴とする請求項１に記載の浴室構造。
【発明の詳細な説明】
【技術分野】
【０００１】
本発明は、浴室構造に関するものである。
【背景技術】
【０００２】
従来から、平面視矩形状の浴室１は、図５のように、その一方の片側半部に浴槽２を配置すると共に他方の片側半部を洗い場３とするようにされている（たとえば特許文献１参照）。ここで、浴槽２は浴槽２と洗い場３とが並設する方向ａと略直交する方向ｂを長手方向とする平面視矩形状に形成されており、浴槽２の槽部５も同様に上記浴槽２と洗い場３とが並設する方向ａと略直交する方向ｂを長手方向とする平面視略矩形状に形成されている。ここで、槽部５に入浴した入浴者Ｎはその身体を上記槽部５の長手方向に沿うように位置させるものであるから、入浴者Ｎの入浴方向Ａは浴槽２の長手方向の端部側に立設する浴室壁４に略正面から対面するような方向になるのであって、つまり入浴者Ｎの視界には浴槽２から連続して立ち上がるような上記浴室壁４が主に入ることとなり、したがって入浴者にはあたかも浴室壁４が立ちはだかっているような圧迫感を感じさせることとなっていた。
【特許文献１】特開２００５−３７１１０号公報
【発明の開示】
【発明が解決しようとする課題】
【０００３】
本発明は上記の従来の問題点に鑑みて為したものであって、浴槽の槽部に入浴した入浴者に対して開放感に溢れた快適な入浴感を感じさせることのできる浴室構造を提供することを課題とするものである。
【課題を解決するための手段】
【０００４】
上記課題を解決するために本発明の請求項１に係る浴室構造は、平面視矩形状の浴室１の一方の片側半部に浴槽２を配置すると共に他方の片側半部を洗い場３とし、浴槽２の槽部５の長手方向の一端部を入浴者Ｎの頭部が位置する頭位置部７とすると共に長手方向の他端部を入浴者Ｎの足部が位置する足位置部８とし、平面視で槽部５の頭位置部７から足位置部８に向う入浴者Ｎの入浴方向Ａを、浴槽２を介して洗い場３に対向する浴室壁４ａから足位置部側ほど離れるように洗い場側に向けたことを特徴とする。これによると、平面視で槽部５の頭位置部７から足位置部８に向う入浴者Ｎの入浴方向Ａを、浴槽２を介して洗い場３に対向する浴室壁４ａから足位置部側ほど離れるように洗い場側に向けたので、浴槽２の槽部５で入浴する入浴者Ｎの視界を洗い場側に向けることができ、つまり入浴者Ｎの視界に洗い場３の開放的な空間を入れることができるから、入浴者Ｎに開放感に溢れた快適な入浴感を感じさせることができる。
【０００５】
また、請求項２に係る浴室構造は、請求項１において、頭位置部７に連続する槽部５の背凭れ部９を、平面視で、浴槽２を介して洗い場３に対向する浴室壁４ａに対する槽部側の傾斜角θが鈍角になるように形成したことを特徴とする。これによると、頭位置部７に連続する槽部５の背凭れ部９を、平面視で、浴槽２を介して洗い場３に対向する浴室壁４ａに対する槽部側の傾斜角θが鈍角になるように形成したので、背凭れ部９に背を凭れかけて槽部５に入浴する入浴者Ｎの入浴姿勢を確実に洗い場側に向けることができ、入浴者Ｎの視界に洗い場３の開放的な空間を確実に入れることができて入浴者Ｎに開放感に溢れた快適な入浴感を確実に感じさせることができる。
【０００６】
また、請求項３に係る浴室構造は、請求項１において、浴槽２の上面フランジ６の洗い場側端縁６ａにおいて槽部５の頭位置部７に隣接する部分を頭側端部６ａ１とすると共に槽部５の足位置部８に隣接する部分を足側端部６ａ２とし、浴槽２を介して洗い場３に対向する浴室壁４ａに足側端部６ａ２を接近させると共に頭側端部６ａ１を上記浴室壁４ａから離間させるように上面フランジ６の洗い場側端縁６ａを形成し、槽部５の頭位置部７と頭側端部６ａ１との間の上面フランジ６を入浴者Ｎが腰掛ける腰掛け部１０としたことを特徴とする。これによると、浴槽２を介して洗い場３に対向する浴室壁４ａに足側端部６ａ２を接近させると共に頭側端部６ａ１を離間させるように上面フランジ６の洗い場側端縁６ａを形成したので、上面フランジ６の洗い場側端縁６ａの槽部５からの距離を足側端部６ａ２に比べて頭側端部６ａ１で長く採ることが容易であり、つまり腰掛け部１０を構成する槽部５の頭位置部７と頭側端部６ａ１との間の上面フランジ６を広く採ることができるから、入浴者Ｎを安定的に腰掛け部１０に腰掛けさせることができる。
【発明の効果】
【０００７】
本発明は、浴槽の槽部に入浴した入浴者に対して開放感に溢れた快適な入浴感を感じさせることができるという利点を有する。
【発明を実施するための最良の形態】
【０００８】
本例の浴室１は、図１乃至図５のように、矩形状の床パン１１の四周の端縁からそれぞれ浴室壁４を立設すると共に天井１２を設けてなる浴室ユニットであり、この平面視矩形状の浴室１の一方の片側半部には浴槽２が配置されると共に、他方の片側半部には洗い場３が形成されている。浴室１の浴槽２と洗い場３との並設方向（矢印ａ）に位置して洗い場３に直接面する浴室壁４ｂには、出入口用の開口１３が設けられると共にこの開口１３に扉１４が開閉自在に設けられている。浴室１の浴槽２と洗い場３との並設方向に直交する方向（矢印ｂ）に位置する一対の対向する浴室壁４ｃ，４ｄにおいて、後述の槽部５の足位置部側の浴室壁４ｃにおける洗い場３に面する部分にはシャワー１５やカラン１６や鏡１７や棚１８などが取付けられており、後述の槽部５の頭位置部側の浴室壁４ｄにおける洗い場３に面する部分にはタオル掛け１９が配設されている。浴槽２は、浴室壁４ｃ，４ｄの間に亙るように配設されており、浴槽２と洗い場３との並設方向に位置して浴槽２に隣接する浴室壁４ａは、浴槽２を介して洗い場３に対向するようにされている。なお、この浴槽２を介して洗い場３に対向する浴室壁４ａには手摺り２０が取付けられている。洗い場３は浴槽２側に向けて水勾配が形成され、洗い場３の浴槽側端部には浴水を排水する排水経路が臨む排水口２１が設けられており、この排水口２１には蓋材２２が被せてある。浴槽２は、浴水を溜めて入浴者Ｎに入浴させる槽部５の上縁から上面フランジ６を略水平に延設して形成されており、床パン１１上に載設すると共に上面フランジ６の洗い場側端縁６ａと洗い場３の浴槽側端縁との間に渡すようにエプロン２３を立設させることで浴室１に配設されている。なお、本例の浴室１は縦横サイズが各１６００ｍｍにされていて平面視で正方形状に形成されている。
【０００９】
ところで、本例の浴槽２は上記浴室１の浴槽２と洗い場３との並設方向に直交する方向を長手方向とするように形成されており、浴槽２の槽部５は浴室１の浴槽２と洗い場３との並設方向に略直交する方向を長手方向とするように形成されている。入浴者Ｎが槽部５に入浴する際には槽部５の長手方向に入浴者Ｎの身体を沿わせるような入浴姿勢となるのであって、すなわち槽部５の長手方向の一端部が入浴者Ｎの頭部を位置させる頭位置部７となると共に、槽部５の長手方向の他端部が入浴者Ｎの足部を位置させる足位置部８とされている。詳しくは、槽部５は底面５ａの周縁から側面５ｂを立ち上げた凹形状に形成されているが、槽部５の足位置部８には底面５ａと側面５ｂとの間に足を載せることのできる台部２４が設けられており、槽部５の頭位置部７には背凭れ部９が連続して設けられている。厳密には、入浴者Ｎの頭が位置される頭位置部７は槽部５の長手方向の一端部に位置する側面５ｂ１の上縁部分であり、上縁部分が頭位置部７となる側面５ｂ１における上記上縁部分と底面５ａとの間の部位が背凭れ部９となっている。この頭位置部７に連続する槽部５の背凭れ部９は、平面視で、浴槽２を介して洗い場３に対向する浴室壁４ａに対する槽部側の傾斜角θが鈍角になるように形成されている。また、上記背凭れ部９を構成する側面５ｂ１に対向する足位置部側の側面５ｂ２は略平行に対向している。なお、本例の槽部５にあって、長手方向と直交する幅方向の両端に位置する両側面５ｂ３，５ｂ４には手をかける段部２５が形成されており、底面５ａには滑り止めの突起物２６が突設されると共に槽部５内に溜めた浴水を排水するための排水孔２７が形成されて上記排水経路に連通されている。
【００１０】
上記構成の槽部５にあっては、平面視で槽部５の頭位置部７から足位置部８を最短距離で結ぶ方向が入浴者Ｎの入浴方向（矢印Ａ）となるのであり、この入浴方向Ａは浴槽２を介して洗い場３に対向する浴室壁４ａから足位置部側ほど離れるように洗い場側に向けられている。本例では入浴者Ｎの入浴方向Ａは槽部５の長手方向における頭位置部７から足位置部８へ向う方向となっている。詳しくは、入浴者Ｎは背凭れ部９に背を凭れさせて槽部５に入浴する入浴姿勢になるのであって、この背凭れ部９を上記のように平面視で浴槽２を介して洗い場３に対向する浴室壁４ａに対する槽部側の傾斜角θが鈍角になるように形成したので、背凭れ部９に背を凭れかけて槽部５に入浴する入浴者Ｎの入浴姿勢は確実に洗い場側に向くようになっているのである。このように、平面視で槽部５の頭位置部７から足位置部８に向う入浴者Ｎの入浴方向Ａを、浴槽２を介して洗い場３に対向する浴室壁４ａから足位置部側ほど離れるように洗い場側に向けたので、浴槽２の槽部５で入浴する入浴者Ｎの視界を洗い場側に向けることができるのであり、つまり、入浴者Ｎの視界に洗い場３の開放的な空間を入れることができるから、入浴者Ｎに開放感に溢れた快適な入浴感を感じさせることができたものである。
【００１１】
また、本例の浴槽２は平面視台形状に形成されている。すなわち、浴室壁４に沿う上面フランジ６の３辺の端縁６ｂ〜６ｄは平面視でそれぞれのなす角が９０度となるように形成されており、浴室壁４に沿わない上面フランジ６の洗い場側端縁６ａが浴槽２の長手方向の２辺を構成する上面フランジ６の端縁６ｂ，６ｃに対するなす角α，βが９０度にならないように形成されている。詳しくは、上面フランジ６の洗い場側端縁６ａは、槽部５の頭位置部７に隣接する部分を頭側端部６ａ１と称すると共に槽部５の足位置部８に隣接する部分を足側端部６ａ２と称した場合に、平面視で、浴槽２を介して洗い場３に対向する浴室壁４ａに足側端部６ａ２を接近させると共に頭側端部６ａ１を上記浴室壁４ａから離間させるような略直線形状に形成されている。具体的に、本例の浴槽２では、上面フランジ６の頭位置側端縁６ｂの長さは７９５ｍｍにされ、上面フランジ６の足位置側端縁６ｃの長さは７１５ｍｍにされている。これによると、洗い場３は浴槽２の槽部５の足位置部８に対応する側ほど幅広くなるように形成されることとなって、本例ではこの洗い場３における浴槽２の槽部５の足位置部８に対応する部位３ａにカラン１６やシャワー１５などが臨ませて配設させているから、洗い場３で行う洗髪や身体を洗うなどの作業を上記幅広の洗い場３の部位３ａで作業スペースの制約を受けにくくゆったりと行うことが可能にされている。なお、開口１３や扉１４は洗い場３の浴槽２の槽部５の頭位置部７に対応する部位３ｂに臨むように設けられている。
【００１２】
また、本例の浴槽２では槽部５の幅方向の両側面５ｂ３，５ｂ４を上記入浴者Ｎの入浴方向Ａと略同方向に形成している。詳しくは、上記幅広に形成された洗い場３における浴槽２の槽部５の足位置部８に対応する部位３ａで洗髪等の作業をする入浴者Ｎが上面フランジ６を跨いで槽部５に入り易いように、槽部５の洗い場側の側面５ｂ３における槽部５の長手方向の足位置部側半部を、上面フランジ６の洗い場側端縁６ａと略平行になるように形成している。なお、槽部５の洗い場側の側面５ｂ３における槽部５の長手方向の頭位置部側半部は、頭位置部側にいくほど上面フランジ６の洗い場側端縁６ａから離間するように（浴槽２を介して洗い場３に対向する浴室壁４ａに近づくように）形成している。ここで、上述のように上面フランジ６の洗い場側端縁６ａは頭側端部６ａ１ほど浴槽２を介して洗い場３に対向する浴室壁４ａから離間するように形成されているのであり、したがって、上面フランジ６の洗い場側端縁６ａの槽部５からの距離を足側端部６ａ２に比べて頭側端部６ａ１で長く採ることができ、つまり、腰掛け部１０を構成する槽部５の頭位置部７と頭側端部６ａ１との間の上面フランジ６の面積を広く採ることが可能にされているのである。この広く採った槽部５の頭位置部７と頭側端部６ａ１との間の上面フランジ６は、一次的に物を置くスペースに有効に利用することができるのは勿論のこと、入浴者Ｎが腰掛ける腰掛け部１０にも利用することができる。腰掛け部１０として利用した場合には、広い面積の腰掛け部１０に入浴者Ｎを安定的に腰掛けさせることができて有用である。
【図面の簡単な説明】
【００１３】
【図１】本発明の実施の形態の例の浴室の平面図である。
【図２】同上の浴室の側面図である。
【図３】同上の浴室の他の側面図である。
【図４】同上の浴室の更に他の側面図である。
【図５】従来技術の例の浴室の平面図である。
【符号の説明】
【００１４】
１  浴室
２  浴槽
３  洗い場
４  浴室壁
５  槽部
６  上面フランジ
６ａ  洗い場側端縁
７  頭位置部
８  足位置部
９  背凭れ部
１０  腰掛け部
θ  傾斜角
【図１】
2007159671.tif 000003
【図２】
2007159671.tif 000004
【図３】
2007159671.tif 000005
【図４】
2007159671.tif 000006
【図５】
2007159671.tif 000007